(57)【要約】【課題】簡単な構成で乗員による車両の操作に極力影響を与えずに自動的にヘッドレストの位置を調整する。【解決手段】ヘッドレスト位置調整装置は、シート１０に設けられたヘッドレスト１３に内蔵された検知電極１および検出回路２と、演算回路５と、ヘッドレスト駆動モータ３およびモータ制御回路４とを備える。演算回路５は、検出回路２からの静電容量値に基づき搭乗者２１の頭部２２とヘッドレスト１３との間の距離を演算し、モータ制御回路４は演算結果に応じてヘッドレスト駆動モータ３を制御し、ヘッドレスト１３の位置を調整する。演算回路５は、車両信号出力回路６からの車両信号が特定信号である場合に、モータ制御回路４に対してヘッドレスト１３の移動を停止またはヘッドレスト１３の位置を原点復帰位置に移動させる演算結果を出力する。【選択図】図３
2010105539.tif 000002
【特許請求の範囲】
【請求項１】
車両の座席に備えられたヘッドレストに設けられ、着座する人体の頭部と前記ヘッドレストとの間の静電容量を検知する少なくとも一つの検知電極と、
前記検知電極からの静電容量に基づく静電容量値を検出する検出回路と、
前記車両の操作および前記座席の状態の少なくとも一つに関する車両信号を出力する車両信号出力手段と、
前記車両信号出力手段から出力された車両信号を入力するとともに、前記検出回路によって検出された静電容量値に基づいて前記頭部と前記ヘッドレストとの間の距離を演算し、演算結果に応じて前記ヘッドレストの位置を適正位置に移動させて調整する位置調整手段とを備え、
前記位置調整手段は、前記車両信号出力手段から出力された車両信号が特定の状態を示す特定信号である場合に、前記ヘッドレストの移動を停止または前記ヘッドレストの位置を原点復帰位置に移動させる
ことを特徴とするヘッドレスト位置調整装置。
【請求項２】
前記特定信号は、前記車両の右左折に関する指示操作信号、前記車両のインストルメントパネルへの操作信号、前記車両のブレーキに関する指示操作信号、前記車両のギアハンドルへの後進指示操作信号、前記車両のギアハンドルへの駐車指示操作信号、前記車両のドアの開閉に関する操作信号および前記座席への人体の着座の有無に関する信号のいずれか一つであることを特徴とする請求項１記載のヘッドレスト位置調整装置。
【請求項３】
前記位置調整手段は、前記特定信号が前記車両の右左折に関する指示操作信号、前記車両のインストルメントパネルへの操作信号、前記車両のブレーキに関する操作指示信号、前記車両のギアハンドルへの後進指示操作信号および前記車両のギアハンドルへの駐車指示操作信号のいずれか一つであるときは、前記ヘッドレストの移動を停止させることを特徴とする請求項２記載のヘッドレスト位置調整装置。
【請求項４】
前記位置調整手段は、前記特定信号が前記車両のブレーキに関する操作指示信号、前記車両のギアハンドルへの後進指示操作信号、前記車両のギアハンドルへの駐車指示操作信号、前記車両のドアの開閉に関する操作信号および前記座席への人体の着座の有無に関する信号が着座無しを示す信号である場合のいずれか一つであるときは、前記ヘッドレストの位置を原点復帰位置に移動させることを特徴とする請求項２記載のヘッドレスト位置調整装置。
【請求項５】
前記検知電極および前記検出回路は、同一基板上に形成されていることを特徴とする請求項１〜４のいずれか１項記載のヘッドレスト位置調整装置。
【請求項６】
前記基板は、フレキシブルプリント基板、メンブレン回路およびリジッドプリント基板のいずれか一つであることを特徴とする請求項５記載のヘッドレスト位置調整装置。
【請求項７】
車両の座席に備えられたヘッドレストに少なくとも一つ設けられた検知電極からの静電容量に基づく静電容量値と、車両の操作および座席の状態の少なくとも一つに関する車両信号とに基づいて、前記ヘッドレストの位置を適正位置に移動させて調整するヘッドレスト位置調整方法であって、
前記静電容量値に基づいて前記座席に着座した人体の頭部と前記ヘッドレストとの間の距離を演算する演算工程と、
前記車両信号に基づいて該車両信号が特定の状態を示す特定信号であるか否かを判定する判定工程と、
前記演算工程による演算結果と、前記判定工程による判定結果とに応じて、前記ヘッドレストの移動を制御する制御工程とを備え、
前記制御工程では、前記判定工程による判定結果が特定信号であることを示す場合に、前記ヘッドレストの移動を停止または前記ヘッドレストの位置を原点復帰位置に移動させる制御を行う
ことを特徴とするヘッドレスト位置調整方法。
【請求項８】
前記特定信号は、前記車両の右左折に関する指示操作信号、前記車両のインストルメントパネルへの操作信号、前記車両のブレーキに関する指示操作信号、前記車両のギアハンドルへの後進指示操作信号、前記車両のギアハンドルへの駐車指示操作信号、前記車両のドアの開閉に関する操作信号および前記座席への人体の着座の有無に関する信号のいずれか一つであることを特徴とする請求項７記載のヘッドレスト位置調整方法。
【請求項９】
前記制御工程では、前記特定信号が前記車両の右左折に関する指示操作信号、前記車両のインストルメントパネルへの操作信号、前記車両のブレーキに関する操作指示信号、前記車両のギアハンドルへの後進指示操作信号および前記車両のギアハンドルへの駐車指示操作信号のいずれか一つであるときは、前記ヘッドレストの移動を停止させる制御を行うことを特徴とする請求項８記載のヘッドレスト位置調整方法。
【請求項１０】
前記制御工程では、前記特定信号が前記車両のブレーキに関する操作指示信号、前記車両のギアハンドルへの後進指示操作信号、前記車両のギアハンドルへの駐車指示操作信号、前記車両のドアの開閉に関する操作信号および前記座席への人体の着座の有無に関する信号が着座無しを示す信号である場合のいずれか一つであるときは、前記ヘッドレストの位置を原点復帰位置に移動させる制御を行うことを特徴とする請求項８記載のヘッドレスト位置調整方法。
【発明の詳細な説明】
【技術分野】
【０００１】
この発明は、自動車等の車両用ヘッドレストの位置を調整するヘッドレスト位置調整装置およびヘッドレスト位置調整方法に関し、特に乗員による車両の操作に極力影響を与えずに自動的にヘッドレストの位置を調整することができるヘッドレスト位置調整装置およびヘッドレスト位置調整方法に関する。
【背景技術】
【０００２】
従来より、車両の乗員に不快感を与えることなくヘッドレストの位置を適切な位置に調整するものとして、下記特許文献１に開示されているヘッドレスト制御システムが知られている。このヘッドレスト制御システムは、ヘッドレスト本体の頭部当接面に配置されたハイブリッドセンサを有する。
【０００３】
このハイブリッドセンサは、頭部が接触したことを検出する接触センサと頭部が近接したことを被接触で検出する静電容量式センサとを備える。ヘッドレスト駆動モータは、ヘッドレスト本体を頭部に対して接近または離間する向きに駆動し、ヘッドレスト制御回路は、ハイブリッドセンサの出力に基づいてヘッドレスト本体が頭部と所定の隙間を介して位置するようにヘッドレスト駆動モータを駆動する。
【０００４】
【特許文献１】特開２００６−２１８０８３号公報
【発明の開示】
【発明が解決しようとする課題】
【０００５】
しかしながら、上述した特許文献１に開示されているヘッドレスト制御システムでは、次のような場合に、例えば運転操作に影響を与えてしまうことがある。すなわち、ヘッドレスト本体が頭部と所定の隙間を介して位置するように制御しているため、例えば（１）右左折操作のときに乗員が左右に顔を振り向けた場合であっても、ヘッドレストが顔に近づいてしまい運転しにくく危険であるという問題がある。
【０００６】
また、（２）インストルメントパネルの操作時に操作のために顔を前に出した後、後ろに戻ったときにヘッドレストが頭部に衝突することがあるという問題もある。さらに、（３）車両をバックさせるときに後ろを振り向いた場合であっても、ヘッドレストが近くにあると運転しにくく危険であり、（４）ドアの開閉操作に伴う乗員の出入りの際や乗員が居ない状態のときにヘッドレストの動作があると不快であるという問題もある。
【０００７】
また、ハイブリッドセンサは接触センサと静電容量式センサとからなるため、センサの構造が複雑であるとともにコストが高くなってしまうという問題もある。
【０００８】
この発明は、上述した従来技術による問題点を解消するため、簡単な構成で特に乗員による車両の操作に極力影響を与えずに自動的にヘッドレストの位置を調整することができるヘッドレスト位置調整装置およびヘッドレスト位置調整方法を提供することを目的とする。
【課題を解決するための手段】
【０００９】
上述した課題を解決し、目的を達成するため、本発明に係るヘッドレスト位置調整装置は、車両の座席に備えられたヘッドレストに設けられ、着座する人体の頭部と前記ヘッドレストとの間の静電容量と検知する少なくとも一つの検知電極と、前記検知電極からの静電容量に基づく静電容量値を検出する検出回路と、前記車両の操作および前記座席の状態の少なくとも一つに関する車両信号を出力する車両信号出力手段と、前記車両信号出力手段から出力された車両信号を入力するとともに、前記検出回路によって検出された静電容量値に基づいて前記頭部と前記ヘッドレストとの間の距離を演算し、演算結果に応じて前記ヘッドレストの位置を適正位置に移動させて調整する位置調整手段とを備え、前記位置調整手段は、前記車両信号出力手段から出力された車両信号が特定の状態を示す特定信号である場合に、前記ヘッドレストの移動を停止または前記ヘッドレストの位置を原点復帰位置に移動させることを特徴とする。
【００１０】
また、本発明に係るヘッドレスト位置調整方法は、車両の座席に設けられたヘッドレストに少なくとも一つ設けられた検知電極からの静電容量に基づく静電容量値と、車両の操作および座席の状態の少なくとも一つに関する車両信号とに基づいて、前記ヘッドレストの位置を適正位置に移動させて調整するヘッドレスト位置調整方法であって、前記静電容量値に基づいて前記座席に着座した人体の頭部と前記ヘッドレストとの間の距離を演算する演算工程と、前記車両信号に基づいて該車両信号が特定の状態を示す特定信号であるか否かを判定する判定工程と、前記演算工程による演算結果と、前記判定工程による判定結果とに応じて、前記ヘッドレストの移動を制御する制御工程とを備え、前記制御工程では、前記判定工程による判定結果が特定信号であることを示す場合に、前記ヘッドレストの移動を停止または前記ヘッドレストの位置を原点復帰位置に移動させる制御を行うことを特徴とする。
【００１１】
なお、前記特定信号は、例えば前記車両の右左折に関する指示操作信号、前記車両のインストルメントパネルへの操作信号、前記車両のブレーキに関する指示操作信号、前記車両のギアハンドルへの後進指示操作信号、前記車両のギアハンドルへの駐車指示操作信号、前記車両のドアの開閉に関する操作信号および前記座席への人体の着座の有無に関する信号のいずれか一つである。
【００１２】
前記位置調整手段は、例えば前記特定信号が前記車両の右左折に関する操作指示信号、前記車両のインストルメントパネルへの操作信号、前記車両のブレーキに関する操作指示信号、前記車両のギアハンドルへの後進指示操作信号および前記車両のギアハンドルへの駐車指示操作信号のいずれか一つであるときは、前記ヘッドレストの移動を停止させる。
【００１３】
また、前記位置調整手段は、例えば前記特定信号が前記車両のブレーキに関する操作指示信号、前記車両のギアハンドルへの後進指示操作信号、前記車両のギアハンドルへの駐車指示操作信号、前記車両のドアの開閉に関する操作信号および前記座席への人体の着座の有無に関する信号が着座無しを示す信号である場合のいずれか一つであるときは、前記ヘッドレストの位置を原点復帰位置に移動させる。
【００１４】
前記検知電極および前記検出回路は、例えば同一基板上に形成されている。また、前記基板は、例えばフレキシブルプリント基板、メンブレン回路およびリジッドプリント基板のいずれか一つである。
【００１５】
前記制御工程では、例えば前記特定信号が前記車両の右左折に関する指示操作信号、前記車両のインストルメントパネルへの操作信号、前記車両のブレーキに関する操作指示信号、前記車両のギアハンドルへの後進指示操作信号および前記車両のギアハンドルへの駐車指示操作信号のいずれか一つであるときは、前記ヘッドレストの移動を停止させる制御を行う。
【００１６】
また、前記制御工程では、例えば前記特定信号が前記車両のブレーキに関する操作指示信号、前記車両のギアハンドルへの後進指示操作信号、前記車両のギアハンドルへの駐車指示操作信号、前記車両のドアの開閉に関する操作信号および前記座席への人体の着座の有無に関する信号が着座無しを示す信号である場合のいずれか一つであるときは、前記ヘッドレストの位置を原点復帰位置に移動させる制御を行う。
【発明の効果】
【００１７】
本発明に係るヘッドレスト位置調整装置およびヘッドレスト位置調整方法によれば、簡単な構成で特に乗員による車両の操作に極力影響を与えずに自動的にヘッドレストの位置を調整することができる。
【発明を実施するための最良の形態】
【００１８】
以下に、添付の図面を参照して、この発明に係るヘッドレスト位置調整装置およびヘッドレスト位置調整方法の好適な実施の形態を詳細に説明する。
【００１９】
図１は、本発明の一実施形態に係るヘッドレスト位置調整装置を適用した車両用シートを示す模式図、図２は同ヘッドレスト位置調整装置の全体構成の例を示すブロック図、図３は本発明の一実施形態に係るヘッドレスト位置調整方法による位置調整処理手順の例を示すフローチャートである。
【００２０】
図１に示すように、シート１０は、図示しない車両に搭載された座席であり、搭乗者２１が着座する着座部１１と、この着座部１１の背面側から立ち上がり搭乗者２１の背面を支持する背もたれ部１２と、この背もたれ部１２の上端側に設けられたヘッドレスト１３とから構成されている。
【００２１】
また、背もたれ部１２の上端部には、例えばヘッドレスト１３を移動させるためのヘッドレスト駆動モータ３が内蔵されており、ヘッドレスト１３はこのヘッドレスト駆動モータ３によって、搭乗者２１の頭部２２に対して接近（図１（ａ）中白抜き矢印の方向）したり、離間したりするように駆動される。なお、図示は省略するが、ヘッドレスト１３は、ヘッドレスト駆動モータ３によって上記接近または離間のみならず、搭乗者２１の頭部２２の上下方向の動きに追従するように上下方向に移動可能に駆動されてもよい。
【００２２】
ヘッドレスト１３は、搭乗者２１の頭部２２を頭部当接面（前面）１４ａで受けるウレタン等のクッション材からなるヘッドレスト本体１４と、このヘッドレスト本体１４の頭部当接面１４ａ側に装着された検知電極１および検出回路２と、検出回路２からの出力とともに、図２に示すような車両信号出力回路６からの車両の操作およびシート１０の状態の少なくとも一つに関する車両信号に基づいて、車両信号の内容を判定するとともに頭部２２とヘッドレスト１３との間の距離を演算する演算回路５とを備えて構成されている。
【００２３】
演算回路５からの演算結果に関する情報は、例えば背もたれ部１２に内蔵されたモータ制御回路に出力され、モータ制御回路４は、入力された演算結果に関する情報に基づいてヘッドレスト駆動モータ３の動作を制御する。なお、本例ではこれら演算回路５、モータ制御回路４およびヘッドレスト駆動モータ３により、ヘッドレスト１３の位置を適正位置に移動させて調整する位置調整手段を構成する。
【００２４】
検知電極１および検出回路２は、例えばフレキシブルプリント基板、メンブレン回路およびリジッドプリント基板等の図示しない同一基板上の同一面あるいは別々の面にそれぞれ形成されてなる。検知電極１は、基板がフレキシブルプリント基板からなる場合は、例えばポリエチレンテレフタレート（ＰＥＴ）、ポリエチレンナフタレート（ＰＥＮ）、ポリアミド（ＰＡ）、ポリイミド（ＰＩ）あるいはガラスエポキシ樹脂等の絶縁部材からなる基板上にパターン形成された銅、銅合金あるいはアルミニウム等の導電材からなり、ヘッドレスト１３に少なくとも一つ設けられている。
【００２５】
なお、本例では演算回路５をこれら検知電極１および検出回路２とは別体に構成した例を説明したが、この演算回路５も検知電極１および検出回路２と同一の基板上に設けられていてもよく、モータ制御回路４についても同様にヘッドレスト１３に内蔵されて同一基板上に設けられてもよい。
【００２６】
このように構成されたヘッドレスト位置調整装置では、まず、図２に示すように、ヘッドレスト１３に内蔵された検知電極１により搭乗者２１の頭部２２とヘッドレスト１３との間の静電容量が検知される。検知電極１により検知された静電容量を示す信号は検出回路２に入力され、この検出回路２によって電圧値に変換されて静電容量値として出力される。
【００２７】
演算回路５は、検出回路２から出力された静電容量値に基づいて、頭部２２とヘッドレスト１３との間の距離を演算し、例えば頭部２２およびヘッドレスト１３間の距離が一定となるように（すなわち、頭部２２およびヘッドレスト１３間の静電容量値が一定値となるように）した演算結果をモータ制御回路４に出力する。モータ制御回路４は、この演算結果に応じて、ヘッドレスト駆動モータ３の駆動を制御するための制御信号をヘッドレスト駆動モータ３に出力する。
【００２８】
また、演算回路５は、車両信号出力回路６から出力された車両信号を入力して車両信号の内容を判定し、車両信号が特定の状態を示す特定信号である場合には、ヘッドレスト１３の移動を停止またはヘッドレスト１３の位置を原点復帰位置に移動させるための演算結果をモータ制御回路４に出力する。
【００２９】
なお、本例では検出回路２はＣ−Ｖ変換回路（静電容量ー電圧変換回路）やＡ／Ｄ変換回路を備えて構成され、演算回路５やモータ制御回路４はＣＰＵ、ＲＡＭ、ＲＯＭなどから構成されている。また、車両信号出力回路６はＥＣＵ（電子制御ユニット）からなり、特に車両の操作およびシート１０の状態に関する車両信号を演算回路５に出力する。
【００３０】
車両信号は、具体的には車両に関する種々の信号（車両の操作に関する信号、車両の挙動に関する信号、車両の状態に関する信号など）を含むが、演算回路５はこの車両信号が上記特定信号であるか否かを判定する。ここで、特定信号は、例えば次のような信号のことをいう。
【００３１】
すなわち、特定信号は、例えば車両の右左折に関する指示操作信号（ウインカー操作信号）、車両のインストルメントパネルへの操作信号、車両のブレーキに関する指示操作信号、車両のギアハンドルへの後進指示操作信号、同じくギアハンドルへの駐車指示操作信号、車両のドアの開閉に関する操作信号およびシート１０への人体の着座の有無に関する信号が着座無しを示す信号である場合のいずれか一つである。
【００３２】
各操作信号は、例えばそれぞれウインカー、インストルメントパネル、ギアハンドルおよびドアに設けられた検出センサ（機械式スイッチセンサや接触センサ等）により検出されて車両信号出力回路６が得るとともに、着座の有無に関する信号は、例えばシート１０の着座部１１に内蔵された圧力センサやシート１０に向けて指向性を設定された赤外線センサ等により検出されて車両信号出力回路６が得る。
【００３３】
これらの特定信号は、特にヘッドレスト１３が位置調整動作された場合に、搭乗者２１による車両の操作に影響を与えてしまう状況を表わす信号であり、演算回路５は、車両信号がこの特定信号を示す場合に、モータ制御回路４に対しヘッドレスト１３の移動を停止させる演算結果や、ヘッドレスト１３の位置を原点復帰位置に移動させる演算結果を出力する。ここで、原点復帰位置は、例えばヘッドレスト１３の初期設定位置や工場出荷時位置、あるいは動作開始前位置などのことをいう。
【００３４】
これにより、ヘッドレスト位置調整装置は、通常動作時はヘッドレスト１３が頭部２２に対して適正位置となるように位置調整を行うことができるとともに、特定信号があったときはヘッドレスト１３の移動を停止したり原点復帰位置に移動させたりするので、特に車両の操作に極力影響を与えず自動的にヘッドレスト１３の位置を調整することが可能となる。
【００３５】
具体的には、ヘッドレスト位置調整装置は、例えば搭乗者２１がウインカーを操作して、右左折操作を実行するときに左右に顔を振り向けて頭部２２を動かした場合であっても、ブレーキを踏んで頭部２２が前方へ移動した場合であっても、ヘッドレスト１３が顔（頭部２２）に近づいてしまい運転しにくく危険となる状況を回避することができる。
【００３６】
また、ヘッドレスト位置調整装置は、例えば搭乗者２１がインストルメントパネルの操作時に操作のために顔（頭部２２）を前に出した後、顔（頭部２２）を後ろに戻したときにヘッドレスト１３が頭部２２に衝突するという状況を回避することができる。さらに、ヘッドレスト位置調整装置は、例えば搭乗者２１が車両をバックさせるときに顔（頭部２２）を後ろに振り向いた場合であっても、駐車をした際に頭部２２を後方へ戻した場合であっても、ヘッドレスト１３が近くにあり運転しにくく危険となる状況を回避することができる。
【００３７】
また、ヘッドレスト位置調整装置は、例えばドアの開閉操作に伴う搭乗者２１の出入りの際や搭乗者２１がシート１０に居ない状態、あるいは上述したような駐車をしたときなどにヘッドレスト１３が動作してしまい無駄な電力を消費してしまうとともに不快となる場合があるという状況も回避することができる。
【００３８】
そして、このヘッドレスト位置調整装置は、車両信号出力回路６が既存のＥＣＵ等からなるとともに、検知電極１を有する静電容量式センサからの静電容量値を得ることで位置調整を行うことができるので、構造が簡単であるとともにコストを抑えつつ、極力車両の操作に影響を与えずに自動的にヘッドレスト１３の位置調整を調整することが可能となる。
【００３９】
このように構成されたヘッドレスト位置調整装置にて、本発明に係るヘッドレスト位置調整方法が実行された場合の位置調整処理は、例えば次のように行われる。すなわち、図３に示すように、まず、ヘッドレスト位置調整装置は、例えば車両のイグニッションスイッチがアクセサリー、ＯＮあるいはスタートとなって、処理が開始されるまで待って（ステップＳ１０１のＮ）、処理が開始されたら（ステップＳ１０１のＹ）、検知電極１からの静電容量に基づき検出回路２が静電容量値を検出する（ステップＳ１０２）。
【００４０】
そして、検出回路２からの静電容量値に基づき、演算回路５が搭乗者２１の頭部２２とヘッドレスト１３との間の距離を演算し（ステップＳ１０３）、車両信号出力回路６から車両信号を受けたか否かを判定する（ステップＳ１０４）。なお、上記ステップＳ１０３においては、検出回路２から静電容量値が出力されていない場合は、演算処理を行わないようにしてもよい。
【００４１】
車両信号を受けていないと判定された場合（ステップＳ１０４のＮ）は、例えば通常動作として演算回路５から出力された演算結果に基づく距離に応じてモータ制御回路４がヘッドレスト駆動モータ３を制御し、ヘッドレスト１３を移動させて（ステップＳ１０８）位置調整を行う。車両信号を受けたと判定された場合（ステップＳ１０４のＹ）は、演算回路５はさらに車両信号が上述した特定信号であるか否かを判定し（ステップＳ１０５）、特定信号でないと判定された場合（ステップＳ１０５のＮ）は上記ステップＳ１０８に移行してヘッドレスト１３を移動させる。
【００４２】
一方、特定信号であると判定された場合（ステップＳ１０５のＹ）は、判定された特定信号の種類（すなわち、上記各操作信号や着座の有無に関する信号が有りと示している等の種別）に応じて、演算回路５が演算結果を生成し、モータ制御回路４が演算結果に基づきヘッドレスト１３の移動を停止させたり、ヘッドレスト１３の位置を原点復帰位置に移動させたり（ステップＳ１０６）して位置調整する。
【００４３】
そして、演算回路５は、受けた車両信号が特定信号のままであり、車両が特定状態を継続中であるか否かを判定し（ステップＳ１０７）、継続中であると判定された場合（ステップＳ１０７のＹ）は上記ステップＳ１０６に移行してヘッドレスト１３の位置調整を継続する。継続中でないと判定された場合（ステップＳ１０７のＮ）は、上記ステップＳ１０８に移行して通常動作時の位置調整を行う。
【００４４】
こうしてステップＳ１０８にてヘッドレスト１３を移動させたら、ヘッドレスト位置調整装置は、例えば車両のイグニッションスイッチがＯＦＦとなって、処理が終了されるか否かを判定し（ステップＳ１０９）、処理を終了すると判定された場合（ステップＳ１０９のＹ）は、本フローチャートによる一連の位置調整処理を終了するとともに、処理を終了しないと判定された場合（ステップＳ１０９のＮ）は、上記ステップＳ１０２に移行して処理を繰り返す。
【００４５】
このように位置調整処理を行うことによって、簡単な構成のヘッドレスト位置調整装置にて特に搭乗者２１による車両の操作に極力影響を与えないで自動的にヘッドレスト１３の位置を調整することが可能となる。なお、ヘッドレスト位置調整装置は、例えば特定信号が車両の右左折に関する操作指示信号、車両のインストルメントパネルへの操作信号および車両のギアハンドルへの後進指示操作信号のいずれか一つであるときは、上記ステップＳ１０６にてヘッドレスト１３の移動を停止させるとよい。
【００４６】
また、ヘッドレスト位置調整装置は、例えば特定信号が車両のブレーキに関する操作指示信号、車両のギアハンドルへの後進指示操作信号、車両のギアハンドルへの駐車指示操作信号、車両のドアの開閉に関する操作信号およびシート１０への人体の着座が無いと示す信号のいずれか一つであるときは、上記ステップＳ１０６にてヘッドレスト１３の位置を原点復帰位置に移動させるとよい。
【００４７】
このステップＳ１０６でのヘッドレスト１３の移動は、その他あらかじめ任意に設定された条件（例えば、特定信号が着座が無いと示す信号であるときにヘッドレスト１３の移動を停止させる等）に基づいて行われるようにしてもよい。また、特定信号に基づくヘッドレスト１３の停止や原点復帰位置への移動は、特定信号ごとに設定されてもよい。すなわち、上述した例では、例えば特定信号が駐車指示操作信号である場合に、ヘッドレスト１３を原点復帰位置に移動させることとしたが、ヘッドレスト１３を停止するようにしてもよい。
【産業上の利用可能性】
【００４８】
以上のように、本発明に係るヘッドレスト位置調整装置およびヘッドレスト位置調整方法は、車両のヘッドレストの位置調整に有用であり、特に、自動車の運転席のヘッドレストの位置調整に適している。
【図面の簡単な説明】
【００４９】
【図１】本発明の一実施形態に係るヘッドレスト位置調整装置を適用した車両用シートを示す模式図である。
【図２】同ヘッドレスト位置調整装置の全体構成の例を示すブロック図である。
【図３】本発明の一実施形態に係るヘッドレスト位置調整方法による位置調整処理手順の例を示すフローチャートである。
【符号の説明】
【００５０】
１      検知電極
２      検出回路
３      ヘッドレスト駆動モータ
４      モータ制御回路
５      演算回路
６      車両信号出力回路
１０    シート
１１    着座部
１２    背もたれ部
１３    ヘッドレスト
１４    ヘッドレスト本体
１４ａ  頭部当接面（前面）
２１    搭乗者
２２    頭部
【図１】
2010105539.tif 000003
【図２】
2010105539.tif 000004
【図３】
2010105539.tif 000005